(57)【要約】【課題】携帯電子機器の置かれる状況を検出する技術の改善を実現すること。【解決手段】１つの態様において、携帯電子機器は、自機への近接を検出する第１のセンサと、生体反応を検出する第２のセンサと、前記第１のセンサにて自機への近接が検出されたときに、前記第２のセンサにて生体反応が検出されると、自機が着衣に設けられる収納部に存すると判定する制御部を備える。このため、１つの態様に係る携帯電子機器は、携帯電子機器の置かれる状況として、自機の着衣の収納部に存するという状況を検出することができる。【選択図】図１
2016048908.tif 000002
【特許請求の範囲】
【請求項１】
自機への近接を検出する第１のセンサと、
生体反応を検出する第２のセンサと、
前記第１のセンサにて自機への近接が検出されたときに、前記第２のセンサにて生体反応が検出されると、自機が着衣に設けられる収納部に存すると判定する制御部を備える携帯電子機器。
【請求項２】
前記制御部は、前記第１のセンサにて自機への近接が検出されたときに、前記第２のセンサにて生体反応が検出されない場合、自機が前記収納部以外に存すると判定する請求項１に記載の携帯電子機器。
【請求項３】
前記制御部は、自機が前記収納部に存すると判定した後、前記第１のセンサにて自機への近接が継続して検出されていることを条件として、自機が前記収納部に存すると判定する請求項１又は２に記載の携帯電子機器。
【請求項４】
前記制御部は、自機が前記収納部に存すると判定した後、前記第２のセンサにて生体反応が継続して検出されていることを条件として、自機が前記収納部に存すると判定する請求項１又は２に記載の携帯電子機器。
【請求項５】
前記制御部は、自機がスリープ状態である場合に、自機が前記収納部に存するかの判定を実行する請求項１〜４のいずれか一つに記載の携帯電子機器。
【請求項６】
前記制御部は、自機がアクティブ状態からスリープ状態へ遷移したことを条件として、自機が前記収納部に存するかの判定を実行する請求項１〜５のいずれか一つに記載の携帯電子機器。
【請求項７】
前記制御部は、自機がスリープ状態からアクティブ状態に遷移したことを条件として、自機が前記収納部に存するかの判定を実行する請求項１〜６のいずれか一つに記載の携帯電子機器。
【請求項８】
自機の移動状態の変化を検出する第３のセンサをさらに有し、
前記制御部は、前記第３のセンサにて自機の移動状態の変化が検出されたことを条件として、自機が前記収納部に存するかの判定を実行する請求項１〜７のいずれか一つに記載の携帯電子機器。
【請求項９】
前記制御部は、イベントの発生を条件として、自機が前記収納部に存するかの判定を実行する請求項１〜８のいずれか一つに記載の携帯電子機器。
【請求項１０】
自機への近接、及び当該自機への近接の検出を契機として生体反応の検出、を行うセンサと、
前記センサにて生体反応が検出されると、自機が着衣に設けられる収納部に存すると判定する制御部と
を備える携帯電子機器。
【請求項１１】
前記制御部は、前記センサにて自機への近接が検出された場合、当該センサを前記生体反応を検出するモードに切り替える請求項１０に記載の携帯電子機器。
【請求項１２】
センサを有する携帯電子機器に実行させる制御方法であって、
自機への近接を検出するステップと、
自機への近接を検出すると、生体反応を検出するステップと、
前記生体反応が検出されると、自機が着衣に設けられる収納部に存すると判定するステップと
を含む制御方法。
【発明の詳細な説明】
【技術分野】
【０００１】
本出願は、携帯電子機器及び制御方法に関する。
【背景技術】
【０００２】
従来、携帯電話、スマートフォンなどの携帯電子機器では、携帯電子機器の置かれる状況を検出することを目的として、各種センサを搭載するものがある（特許文献１参照）。
【先行技術文献】
【特許文献】
【０００３】
【特許文献１】特開２０１１−２５７３７４号公報
【発明の概要】
【発明が解決しようとする課題】
【０００４】
しかしながら、携帯電子機器の置かれる状況を検出する技術には改善の余地がある。
【０００５】
上記のことから、携帯電子機器の置かれる状況を検出する技術が改善された携帯電子機器及び制御方法を提供する必要がある。
【課題を解決するための手段】
【０００６】
１つの態様に係る携帯電子機器は、自機への近接を検出する第１のセンサと、生体反応を検出する第２のセンサと、前記第１のセンサにて自機への近接が検出されたときに、前記第２のセンサにて生体反応が検出されると、自機が着衣に設けられる収納部に存すると判定する制御部を備える。
【０００７】
１つの態様に係る携帯電子機器は、自機への近接、及び当該自機への近接の検出を契機として生体反応の検出、を行うセンサと、前記センサにて生体反応が検出されると、自機が着衣に設けられる収納部に存すると判定する制御部とを備える。
【０００８】
１つの態様に係る制御方法は、センサを有する携帯電子機器に実行させる制御方法であって、自機への近接を検出するステップと、自機への近接を検出すると、生体反応を検出するステップと、前記生体反応が検出されると、自機が着衣に設けられる収納部に存すると判定するステップとを含む。
【図面の簡単な説明】
【０００９】
【図１】図１は、実施形態１に係るスマートフォンの機能構成を示すブロック図である。
【図２】図２は、実施形態１に係るスマートフォンによる処理の流れを示すフローチャートである。
【図３】図３は、実施形態１に係るスマートフォンによる処理の流れを示すフローチャートである。
【図４】図４は、実施形態１に係るスマートフォンによる処理の流れを示すフローチャートである。
【図５】図５は、実施形態１に係るスマートフォンによる処理の流れを示すフローチャートである。
【図６】図６は、実施形態１に係るスマートフォンによる処理の流れを示すフローチャートである。
【図７】図７は、実施形態１に係るスマートフォンによる処理の流れを示すフローチャートである。
【図８】図８は、実施形態１に係るスマートフォンによる処理の流れを示すフローチャートである。
【図９】図９は、実施形態２に係るスマートフォンの機能構成を示すブロック図である。
【図１０】図１０は、実施形態２に係るスマートフォンによる処理の流れを示すフローチャートである。
【図１１】図１１は、実施形態３に係るスマートフォンの処理を説明するための図である。
【図１２】図１２は、実施形態３に係るスマートフォンによる処理の流れを示すフローチャートである。
【発明を実施するための形態】
【００１０】
本出願に係る携帯電子機器及び制御方法を実施するための複数の実施形態を、図面を参照しつつ詳細に説明する。以下では、携帯電子機器の一例として、スマートフォンについて説明する。
【００１１】
（実施形態１）
実施形態１に係るスマートフォン１の機能構成の一例を説明する。図１は、実施形態１に係るスマートフォンの機能構成を示すブロック図である。以下の説明においては、同様の構成要素に同一の符号を付すことがある。さらに、重複する説明は省略することがある。
【００１２】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、生体反応検出センサ１６とを備える。
【００１３】
タッチスクリーンディスプレイ２は、ディスプレイ２Ａと、タッチスクリーン２Ｂとを有する。ディスプレイ２Ａ及びタッチスクリーン２Ｂは、例えば、重ねて配置されてもよいし、並べて配置されてもよいし、離して配置されてもよい。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１４】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。ディスプレイ２Ａが表示する文字、画像、記号、及び図形等を含む画面には、ロック画面と呼ばれる画面、ホーム画面と呼ばれる画面、アプリケーションの実行中に表示されるアプリケーション画面が含まれる。ホーム画面は、デスクトップ、待受画面、アイドル画面、標準画面、アプリ一覧画面又はランチャー画面と呼ばれることもある。
【００１５】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等（以下、単に「指」という）がタッチスクリーン２Ｂに接触した位置を検出することができる。タッチスクリーン２Ｂは、タッチスクリーン２Ｂ（タッチスクリーンディスプレイ２）に対する指の接触を、接触された場所のタッチスクリーンディスプレイ２上での位置とともに、コントローラ１０に通知する。
【００１６】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１７】
コントローラ１０（スマートフォン１）は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。ジェスチャは、指を用いて、タッチスクリーン２Ｂ（タッチスクリーンディスプレイ２）に対して行われる操作である。コントローラ１０（スマートフォン１）が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１８】
ボタン３は、利用者からの操作入力を受け付ける。ボタン３の数は、単数であっても、複数であってもよい。
【００１９】
照度センサ４は、スマートフォン１の周囲光の照度を検出する。照度は、光の強さ、又は明るさを示す。照度センサ４は、例えば、ディスプレイ２Ａの輝度の調整に用いられる。
【００２０】
近接センサ５は、近隣の物体の存在を非接触で検出する。近接センサ５は、例えば、物体から反射される赤外線に基づいて、物体の存在及び物体との距離を検出する。近接センサ５は、例えば、ディスプレイ２Ａが顔に近づけられたことを検出する。照度センサ４及び近接センサ５は、１つのセンサとして構成されていてもよい。近接センサ５は、赤外線ではなく、磁界の変化又は超音波の反射波の帰還時間の変化等に基づいて物体の存在及び物体との距離を検出するセンサであってもよい。近接センサ５は、照度センサ４、カメラ１２，１３、タッチスクリーン２Ｂ、及びタッチスイッチなどのいずれか１つ又は複数と統合されたユニットであってもよい。近接センサ５は第１のセンサの一例である。
【００２１】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）がある。通信ユニット６は、上述した通信規格の１つ又は複数をサポートしていてもよい。
【００２２】
レシーバ７は、音出力部である。レシーバ７は、コントローラ１０から送信される音信号を音として出力する。レシーバ７は、例えば、通話時に相手側からの音声を出力するために用いられる。マイク８は、音入力部である。マイク８は、利用者の音声等を音信号へ変換してコントローラ１０へ送信する。
【００２３】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２４】
ストレージ９に記憶されるプログラムには、フォアグランド又はバックグランドで実行されるアプリケーションと、アプリケーションの動作を支援する制御プログラムとが含まれる。フォアグランドで実行されるアプリケーションは、例えば、ディスプレイ２Ａに画面が表示される。制御プログラムには、例えば、ＯＳが含まれる。アプリケーション及び制御プログラムは、通信ユニット６による無線通信又は非一過的な記憶媒体を介してストレージ９にインストールされてもよい。
【００２５】
ストレージ９は、制御プログラム９Ａ、電話アプリケーション９Ｂ、メールアプリケーション９Ｃ、スケジュールアプリケーション９Ｄ、及び設定データ９Ｚなどを記憶する。
【００２６】
制御プログラム９Ａは、スマートフォン１の各種制御に関する機能を提供する。制御プログラム９Ａは、例えば、第１のセンサにて自機への近接が検出されたときに、第２のセンサにて生体反応が検出されると、自機が着衣に設けられる収納部に存すると判定するための機能を提供する。制御プログラム９Ａは、例えば、上記第１のセンサにて自機への近接が検出されたときに、上記第２のセンサにて生体反応が検出されない場合、自機が上記収納部以外に存すると判定するための機能を提供する。制御プログラム９Ａは、例えば、自機が上記収納部に存すると判定した後、上記第１のセンサにて自機への近接が継続して検出されていることを条件として、自機が上記収納部に存すると判定するための機能を提供する。制御プログラム９Ａは、例えば、自機が上記収納部に存すると判定した後、上記第２のセンサにて生体反応が継続して検出されていることを条件として、自機が上記収納部に存すると判定するための機能を提供する。制御プログラム９Ａは、例えば、スマートフォン１がスリープ状態である場合に、自機が上記収納部に存するかの判定を実行するための機能を提供する。制御プログラム９Ａは、例えば、スマートフォン１がアクティブ状態からスリープ状態に遷移したことを条件として、自機が上記収納部に存するかの判定を実行するための機能を提供する。制御プログラム９Ａは、例えば、スマートフォン１がスリープ状態からアクティブ状態に遷移したことを条件として、自機が上記収納部に存するかの判定を実行するための機能を提供する。制御プログラム９Ａは、例えば、第３のセンサにて自機の移動状態の変化が検出されることを条件として、自機が上記収納部に存するかの判定を実行するための機能を提供する。制御プログラム９Ａは、例えば、イベントの発生を条件として、自機が上記収納部に存するかの判定を実行するための機能を提供する。
【００２７】
電話アプリケーション９Ｂは、無線通信による通話のための通話機能を提供する。メールアプリケーション９Ｃは、電子メールの作成、送信、受信、及び表示等のための電子メール機能を提供する。スケジュールアプリケーション９Ｄは、スケジュールを管理するための機能を提供する。
【００２８】
設定データ９Ｚは、制御プログラム９Ａによる処理に用いられる各種データを含んで構成される。設定データ９Ｚは、例えば、自機が上記収納部に存すると判定するためのトリガ条件を含む。設定データ９Ｚは、第１のセンサにて自機への近接が継続して検出されていると制御プログラム９Ａが判定するための時間条件を含む。設定データ９Ｚは、第２のセンサにて生体反応が継続して検出されていると制御プログラム９Ａが判定するための時間条件を含む。
【００２９】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、スマートフォン１の動作を統括的に制御して各種の機能を実現する。コントローラ１０は、制御部の一例である。
【００３０】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、及び生体反応検出センサ１６を含むが、これらに限定されない。
【００３１】
コントローラ１０は、制御プログラム９Ａを実行することにより、例えば、第１のセンサにて自機への近接が検出されたときに、第２のセンサにて生体反応が検出されると、自機が着衣に設けられる収納部に存すると判定する処理を実現する。コントローラ１０は、制御プログラム９Ａを実行することにより、例えば、上記第１のセンサにて自機への近接が検出されたときに、上記第２のセンサにて生体反応が検出されない場合、自機が上記収納部以外に存すると判定する処理を実現する。コントローラ１０は、制御プログラム９Ａを実行することにより、例えば、自機が上記収納部に存すると判定した後、上記第１のセンサにて自機への近接が継続して検出されていることを条件として、自機が上記収納部に存すると判定する処理を実現する。コントローラ１０は、制御プログラム９Ａを実行することにより、例えば、自機が上記収納部に存すると判定した後、上記第２のセンサにて生体反応が継続して検出されていることを条件として、自機が上記収納部に存すると判定する処理を実現する。コントローラ１０は、制御プログラム９Ａを実行することにより、例えば、スマートフォン１がスリープ状態である場合に、自機が上記収納部に存するかの判定を実行する。コントローラ１０は、制御プログラム９Ａを実行することにより、例えば、スマートフォン１がアクティブ状態からスリープ状態に遷移したことを条件として、自機が上記収納部に存するかの判定を実行する。コントローラ１０は、制御プログラム９Ａを実行することにより、例えば、スマートフォン１がスリープ状態からアクティブ状態に遷移したことを条件として、自機が上記収納部に存するかの判定を実行する。コントローラ１０は、制御プログラム９Ａを実行することにより、例えば、上記第３のセンサにて自機の移動状態の変化が検出されることを条件として、自機が上記収納部に存するかの判定を実行する。コントローラ１０は、制御プログラム９Ａを実行することにより、例えば、イベントの発生を条件として、自機が上記収納部に存するかの判定を実行する。
【００３２】
スピーカ１１は、音出力部である。スピーカ１１は、コントローラ１０から送信される音信号を音として出力する。スピーカ１１は、例えば、着信音及び音楽を出力するために用いられる。レシーバ７及びスピーカ１１の一方が、他方の機能を兼ねてもよい。
【００３３】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態でスマートフォン１に実装されてもよい。
【００３４】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００３５】
加速度センサ１５は、スマートフォン１に作用する加速度の方向及び大きさを検出する。コントローラ１０は、加速度センサ１５により検出される加速度の方向及び大きさに基づいて、スマートフォン１の移動状態の変化を検出する。
【００３６】
生体反応検出センサ１６は、生体反応を検出する。生体反応検出センサ１６は、心拍を生体反応として検出してもよいし、心臓の鼓動を生体反応として検出してもよいし、心臓が発する電気信号を生体反応として検出してもよいし、体外に排出されるガスを生体反応として検出してもよい。生体反応検出センサ１６は、生体反応として心拍を検出する場合には赤外線センサなどを用いて構成される。生体反応検出センサ１６は、生体反応として心臓の鼓動を検出する場合には加速度センサなどを用いて構成される。生体反応検出センサ１６は、生体反応として心臓が発する電気信号を検出する場合には電位センサなどを用いて構成される。生体反応検出センサ１６は、体外に排出されるガスを検出する場合にはガスセンサなどを用いて構成される。ガスセンサは、アセトン、二酸化炭素、ノネナール、アンモニア、メタンなどを検出する。生体反応検出センサ１６は、第２のセンサの一例である。
【００３７】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信し、受信した電波信号の復調処理を行って、処理後の信号をコントローラ１０に送出する。バイブレータは、スマートフォン１の一部又は全体を振動させる。バイブレータは、振動を発生させるために、例えば、圧電素子、又は偏心モータなどを有する。図１には示していないが、スマートフォン１は、バッテリなど、スマートフォン１の機能を維持するために当然に用いられる機能部を実装する。
【００３８】
図２〜８を参照しつつ、実施形態１に係るスマートフォン１による処理の流れを説明する。図２〜８は、実施形態１に係るスマートフォン１による処理の流れを示すフローチャートである。図２〜８に示す処理は、コントローラ１０が、ストレージ９に記憶されている制御プログラム９Ａなどを実行することにより実現される。
【００３９】
図２を用いて、自機がスリープ状態であるかを契機として処理を開始するスマートフォン１の処理の流れを説明する。図２に示すように、コントローラ１０は、自機がスリープ状態であるかを判定する（ステップＳ１０１）。
【００４０】
コントローラ１０は、判定の結果、スリープ状態である場合には（ステップＳ１０１，Ｙｅｓ）、近接が検出されたかを判定する（ステップＳ１０２）。
【００４１】
コントローラ１０は、判定の結果、近接が検出された場合には（ステップＳ１０２，Ｙｅｓ）、生体反応が検出されたかを判定する（ステップＳ１０３）。
【００４２】
コントローラ１０は、判定の結果、生体反応が検出された場合には（ステップＳ１０３，Ｙｅｓ）、自機が着衣の収納部に存するという判定結果を導出し（ステップＳ１０４）、図２に示す処理を終了する。
【００４３】
一方、コントローラ１０は、判定の結果、生体反応が検出されない場合には（ステップＳ１０３，Ｎｏ）、自機が着衣の収納部以外に存するという判定結果を導出し（ステップＳ１０５）、図２に示す処理を終了する。
【００４４】
上記ステップＳ１０２において、コントローラ１０は、判定の結果、近接が検出されない場合には（ステップＳ１０２，Ｎｏ）、図２に示す処理を終了する。
【００４５】
上記ステップＳ１０１において、コントローラ１０は、判定の結果、スリープ状態ではない場合には（ステップＳ１０１，Ｎｏ）、図２に示す処理を終了する。
【００４６】
図２に示す処理において、スリープ状態は、ディスプレイ２Ａが消灯する全ての状態を含んでよい。図２に示す処理において、コントローラ１０は、生体反応として、心拍、心臓の鼓動、及び心臓が発する電気信号のうち、少なくとも一つを検出する。コントローラ１０は、生体反応として、体外に排出されるアセトン、二酸化炭素、ノネナール、アンモニア、メタンなどのガスを検出してもよい。以下、図３〜図８に示す処理についても同様である。
【００４７】
図３を用いて、自機がアクティブ状態からスリープ状態へ遷移したことを契機として処理を開始するスマートフォン１の処理の流れを説明する。図３に示すように、コントローラ１０は、自機がアクティブ状態からスリープ状態へ遷移したかを判定する（ステップＳ２０１）。
【００４８】
コントローラ１０は、判定の結果、アクティブ状態からスリープ状態へ遷移した場合には（ステップＳ２０１，Ｙｅｓ）、近接が検出されたかを判定する（ステップＳ２０２）。
【００４９】
コントローラ１０は、判定の結果、近接が検出された場合には（ステップＳ２０２，Ｙｅｓ）、生体反応が検出されたかを判定する（ステップＳ２０３）。
【００５０】
コントローラ１０は、判定の結果、生体反応が検出された場合には（ステップＳ２０３，Ｙｅｓ）、自機が着衣の収納部に存するという判定結果を導出し（ステップＳ２０４）、図３に示す処理を終了する。
【００５１】
一方、コントローラ１０は、判定の結果、生体反応が検出されない場合には（ステップＳ２０３，Ｎｏ）、自機が着衣の収納部以外に存するという判定結果を導出し（ステップＳ２０５）、図３に示す処理を終了する。
【００５２】
上記ステップＳ２０２において、コントローラ１０は、判定の結果、近接が検出されない場合には（ステップＳ２０２，Ｎｏ）、図３に示す処理を終了する。
【００５３】
上記ステップＳ２０１において、コントローラ１０は、判定の結果、アクティブ状態からスリープ状態へ遷移していない場合には（ステップＳ２０１，Ｎｏ）、図３に示す処理を終了する。
【００５４】
図４を用いて、自機がスリープ状態からアクティブ状態へ遷移したことを契機として処理を開始するスマートフォン１の処理の流れを説明する。図４に示すように、コントローラ１０は、自機がスリープ状態からアクティブ状態へ遷移したかを判定する（ステップＳ３０１）。
【００５５】
コントローラ１０は、判定の結果、スリープ状態からアクティブ状態へ遷移した場合には（ステップＳ３０１，Ｙｅｓ）、近接が検出されたかを判定する（ステップＳ３０２）。
【００５６】
コントローラ１０は、判定の結果、近接が検出された場合には（ステップＳ３０２，Ｙｅｓ）、生体反応が検出されたかを判定する（ステップＳ３０３）。
【００５７】
コントローラ１０は、判定の結果、生体反応が検出された場合には（ステップＳ３０３，Ｙｅｓ）、自機が着衣の収納部に存するという判定結果を導出し（ステップＳ３０４）、図４に示す処理を終了する。
【００５８】
一方、コントローラ１０は、判定の結果、生体反応が検出されない場合には（ステップＳ３０３，Ｎｏ）、自機が着衣の収納部以外に存するという判定結果を導出し（ステップＳ３０５）、図４に示す処理を終了する。
【００５９】
上記ステップＳ３０２において、コントローラ１０は、判定の結果、近接が検出されない場合には（ステップＳ３０２，Ｎｏ）、図４に示す処理を終了する。
【００６０】
上記ステップＳ３０１において、コントローラ１０は、判定の結果、スリープ状態からアクティブ状態へ遷移していない場合には（ステップＳ３０１，Ｎｏ）、図４に示す処理を終了する。
【００６１】
図４に示す処理において、アクティブ状態は、ディスプレイ２Ａが点灯する全ての状態を含んでよい。
【００６２】
図５を用いて、自機の移動状態が変化したことを契機として処理を開始するスマートフォン１の処理の流れを説明する。図５に示すように、コントローラ１０は、自機の移動状態の変化が検出されたかを判定する（ステップＳ４０１）。
【００６３】
コントローラ１０は、判定の結果、自機の移動状態の変化が検出された場合には（ステップＳ４０１，Ｙｅｓ）、近接が検出されたかを判定する（ステップＳ４０２）。
【００６４】
コントローラ１０は、判定の結果、近接が検出された場合には（ステップＳ４０２，Ｙｅｓ）、生体反応が検出されたかを判定する（ステップＳ４０３）。
【００６５】
コントローラ１０は、判定の結果、生体反応が検出された場合には（ステップＳ４０３，Ｙｅｓ）、自機が着衣の収納部に存するという判定結果を導出し（ステップＳ４０４）、図５に示す処理を終了する。
【００６６】
一方、コントローラ１０は、判定の結果、生体反応が検出されない場合には（ステップＳ４０３，Ｎｏ）、自機が着衣の収納部以外に存するという判定結果を導出し（ステップＳ４０５）、図５に示す処理を終了する。
【００６７】
上記ステップＳ４０２において、コントローラ１０は、判定の結果、近接が検出されない場合には（ステップＳ４０２，Ｎｏ）、図５に示す処理を終了する。
【００６８】
上記ステップＳ４０１において、コントローラ１０は、判定の結果、自機の移動状態の変化が検出されていない場合には（ステップＳ４０１，Ｎｏ）、図５に示す処理を終了する。
【００６９】
図５に示す処理において、自機の移動状態の変化には、停止状態から移動状態への変化、移動状態から停止状態への変化を含む。図５に示す処理において、自機の移動状態の変化には、乗り物種別の変化を含む。
【００７０】
図６を用いて、自機においてイベントが発生したことを契機として処理を開始するスマートフォン１の処理の流れを説明する。図６に示すように、コントローラ１０は、イベントが発生したかを判定する（ステップＳ５０１）。
【００７１】
コントローラ１０は、判定の結果、イベントが発生した場合には（ステップＳ５０１，Ｙｅｓ）、近接が検出されたかを判定する（ステップＳ５０２）。
【００７２】
コントローラ１０は、判定の結果、近接が検出された場合には（ステップＳ５０２，Ｙｅｓ）、生体反応が検出されたかを判定する（ステップＳ５０３）。
【００７３】
コントローラ１０は、判定の結果、生体反応が検出された場合には（ステップＳ５０３，Ｙｅｓ）、自機が着衣の収納部に存するという判定結果を導出し（ステップＳ５０４）、図６に示す処理を終了する。
【００７４】
一方、コントローラ１０は、判定の結果、生体反応が検出されない場合には（ステップＳ５０３，Ｎｏ）、自機が着衣の収納部以外に存するという判定結果を導出し（ステップＳ５０５）、図６に示す処理を終了する。
【００７５】
上記ステップＳ５０２において、コントローラ１０は、判定の結果、近接が検出されない場合には（ステップＳ５０２，Ｎｏ）、図６に示す処理を終了する。
【００７６】
上記ステップＳ５０１において、コントローラ１０は、判定の結果、イベントが発生していない場合には（ステップＳ５０１，Ｎｏ）、図６に示す処理を終了する。
【００７７】
図６に示す処理において、自機において発生するイベントには、電話の着信、メールアプリケーション９Ｃによるメールの受信通知およびスケジュールアプリケーション９Ｄによるリマインド通知など、各種アプリケーションによるポップアップ通知を含む。
【００７８】
図７を用いて、生体反応が検出された後、近接の検出が一定時間継続して検出されているかを条件として、自機が着衣の収納部に存するか否かの判定結果を導出するスマートフォン１の処理の流れを説明する。図７に示すように、コントローラ１０は、自機がスリープ状態であるかを判定する（ステップＳ６０１）。
【００７９】
コントローラ１０は、判定の結果、スリープ状態である場合には（ステップＳ６０１，Ｙｅｓ）、近接が検出されたかを判定する（ステップＳ６０２）。
【００８０】
コントローラ１０は、判定の結果、近接が検出された場合には（ステップＳ６０２，Ｙｅｓ）、生体反応が検出されたかを判定する（ステップＳ６０３）。
【００８１】
コントローラ１０は、判定の結果、生体反応が検出された場合には（ステップＳ６０３，Ｙｅｓ）、自機が着衣の収納部に存するという判定結果を導出する（ステップＳ６０４）。
【００８２】
続いて、コントローラ１０は、近接の検出が一定時間継続するかを判定する（ステップＳ６０５）。
【００８３】
コントローラ１０は、判定の結果、近接の検出が一定時間継続する場合には（ステップＳ６０５，Ｙｅｓ）、自機が着衣の収納部に存するという判定結果を導出（維持）し（ステップＳ６０６）、図７に示す処理を終了する。
【００８４】
一方、コントローラ１０は、判定の結果、近接の検出が一定時間継続しない場合には（ステップＳ６０５，Ｎｏ）、自機が着衣の収納部以外に存するという判定結果を導出し（ステップＳ６０７）、図７に示す処理を終了する。
【００８５】
上記ステップＳ６０３において、コントローラ１０は、判定の結果、生体反応が検出されない場合には（ステップＳ６０３，Ｎｏ）、図７に示す処理を終了する。
【００８６】
上記ステップＳ６０２において、コントローラ１０は、判定の結果、近接が検出されない場合には（ステップＳ６０２，Ｎｏ）、図７に示す処理を終了する。
【００８７】
上記ステップＳ６０１において、コントローラ１０は、判定の結果、スリープ状態ではない場合には（ステップＳ６０１，Ｎｏ）、図７に示す処理を終了する。
【００８８】
図７に示す処理において、近接の検出が継続する時間として設定する時間条件には、任意の時間を設定することができる。図７に示す処理は、図３〜図６に示す処理にも同様に適用できる。
【００８９】
図８を用いて、生体反応が検出された後、生体反応の検出が一定時間継続して検出されているかを条件として、自機が着衣の収納部に存するか否かの判定結果を導出するスマートフォン１の処理の流れを説明する。図８に示すように、コントローラ１０は、自機がスリープ状態であるかを判定する（ステップＳ７０１）。
【００９０】
コントローラ１０は、判定の結果、スリープ状態である場合には（ステップＳ７０１，Ｙｅｓ）、近接が検出されたかを判定する（ステップＳ７０２）。
【００９１】
コントローラ１０は、判定の結果、近接が検出された場合には（ステップＳ７０２，Ｙｅｓ）、生体反応が検出されたかを判定する（ステップＳ７０３）。
【００９２】
コントローラ１０は、判定の結果、生体反応が検出された場合には（ステップＳ７０３，Ｙｅｓ）、自機が着衣の収納部に存するという判定結果を導出する（ステップＳ７０４）。
【００９３】
続いて、コントローラ１０は、生体反応の検出が一定時間継続するかを判定する（ステップＳ７０５）。
【００９４】
コントローラ１０は、判定の結果、生体反応の検出が一定時間継続する場合には（ステップＳ７０５，Ｙｅｓ）、自機が着衣の収納部に存するという判定結果を導出（維持）し（ステップＳ７０６）、図８に示す処理を終了する。
【００９５】
一方、コントローラ１０は、判定の結果、生体反応の検出が一定時間継続しない場合には（ステップＳ７０５，Ｎｏ）、自機が着衣の収納部以外に存するという判定結果を導出し（ステップＳ７０７）、図８に示す処理を終了する。
【００９６】
上記ステップＳ７０３において、コントローラ１０は、判定の結果、生体反応が検出されない場合には（ステップＳ７０３，Ｎｏ）、図８に示す処理を終了する。
【００９７】
上記ステップＳ７０２において、コントローラ１０は、判定の結果、近接が検出されない場合には（ステップＳ７０２，Ｎｏ）、図８に示す処理を終了する。
【００９８】
上記ステップＳ７０１において、コントローラ１０は、判定の結果、スリープ状態ではない場合には（ステップＳ７０１，Ｎｏ）、図８に示す処理を終了する。
【００９９】
図８に示す処理において、生体反応の検出が継続する時間として設定する時間条件には、任意の時間を設定することができる。
【０１００】
実施形態１において、スマートフォン１は、近接が検出されたときに、生体反応が検出された場合には、自機が着衣の収納部に存するという判定結果を導出する。このため、スマートフォン１は、携帯電子機器の置かれる状況として、自機の着衣の収納部に存するという状況を検出することができる。
【０１０１】
（実施形態２）
上記の実施形態１では、スマートフォン１が、近接センサ５及び生体反応検出センサ１６を個別に有する例を説明した。以下の実施形態２では、スマートフォン１が、近接センサ５と生体反応検出センサ１６を機能的に統合する場合について説明する。
【０１０２】
図９は、実施形態２に係るスマートフォン１の機能構成を示すブロック図である。以下の説明においては、同様の構成要素に同一の符号を付すことがある。さらに、重複する説明は省略することがある。実施形態２に係るスマートフォン１の機能構成は、以下に説明する点で実施形態１に係るスマートフォン１と異なる。
【０１０３】
近接／生体反応検出ユニット１７は、コントローラ１０の制御下で、近接の検出及び生体反応の検出のいずれか一方を実行する。近接／生体反応検出ユニット１７の動作状態は、近接を検出する近接検出モード、及び生体反応を検出する生体検出モードで構成される。
【０１０４】
制御プログラム９Ａは、近接／生体反応検出ユニット１７に近接の検出を実行させるか、又は生体反応の検出を実行させるかを切り替えるための機能を提供する。
【０１０５】
コントローラ１０は、制御プログラム９Ａを実行することにより、近接／生体反応検出ユニット１７に近接の検出を実行させるか、又は生体反応の検出を実行させるかを切り替える処理を実現する。
【０１０６】
図１０は、実施形態２に係るスマートフォン１による処理の流れを示すフローチャートである。図１０に示す処理は、コントローラ１０が、ストレージ９に記憶されている制御プログラム９Ａなどを実行することにより実現される。
【０１０７】
図１０に示すように、コントローラ１０は、自機がスリープ状態であるかを判定する（ステップＳ８０１）。
【０１０８】
コントローラ１０は、判定の結果、スリープ状態である場合には（ステップＳ８０１，Ｙｅｓ）、近接が検出されたかを判定する（ステップＳ８０２）。
【０１０９】
コントローラ１０は、判定の結果、近接が検出された場合には（ステップＳ８０２，Ｙｅｓ）、近接／生体反応検出ユニット１７の動作状態を生体検出モードに切り替える（ステップＳ８０３）。
【０１１０】
続いて、コントローラ１０は、生体反応が検出されたかを判定する（ステップＳ８０４）。
【０１１１】
コントローラ１０は、判定の結果、生体反応が検出された場合には（ステップＳ８０４，Ｙｅｓ）、自機が着衣の収納部に存するという判定結果を導出する（ステップＳ８０５）。これとは反対に、コントローラ１０は、判定の結果、生体反応が検出されない場合には（ステップＳ８０４，Ｎｏ）、自機が着衣の収納部以外に存するという判定結果を導出する（ステップＳ８０６）。
【０１１２】
続いて、コントローラ１０は、近接／生体反応検出ユニット１７の動作状態を近接検出モードに切り替えて（ステップＳ８０７）、図１０に示す処理を終了する。
【０１１３】
上記ステップＳ８０２において、コントローラ１０は、判定の結果、近接が検出されない場合には（ステップＳ８０２，Ｎｏ）、図１０に示す処理を終了する。
【０１１４】
上記ステップＳ８０１において、コントローラ１０は、判定の結果、スリープ状態ではない場合には（ステップＳ８０１，Ｎｏ）、図１０に示す処理を終了する。
【０１１５】
実施形態２において、スマートフォン１は、近接／生体反応検出ユニット１７により、近接の検出及び生体反応の検出を実現する。このため、スマートフォン１は、上記処理を実現するためのコストを軽減できる。
【０１１６】
実施形態１で説明した処理についても、近接／生体反応検出ユニット１７を搭載したスマートフォン１が、実施形態２と同様の処理を実行してもよい。すなわち、スマートフォン１が、近接／生体反応検出ユニット１７に近接の検出を実行させるか、又は生体反応の検出を実行させるかを切り替える処理を実行してもよい。
【０１１７】
（実施形態３）
上記の実施形態２において、近接センサ５と生体反応検出センサ１６を機能的に統合した近接／生体反応検出ユニット１７としてスマートフォン１に実装される場合、操作時の利用者の接触位置によっては、自機が収納部に存するという判定結果を誤って導出する恐れがある。以下の実施形態３では、自機が収納部に存するという判定結果を誤って導出する事態を回避する例について説明する。
【０１１８】
実施形態３に係るスマートフォン１の機能構成は、基本的には実施形態２に係るスマートフォン１の機能構成と同様であるが、以下に説明する点が上述した実施形態２とは異なる。
【０１１９】
制御プログラム９Ａは、例えば、近接及び生体反応を検出した後、近接／生体反応検出ユニット１７の近傍に接触が検出されている場合には、自機が着衣に設けられる収納部に存するという判定結果を導出しないための機能を提供する。
【０１２０】
コントローラ１０は、制御プログラム９Ａを実行することにより、例えば、近接及び生体反応を検出した後、近接／生体反応検出ユニット１７の近傍に接触が検出されている場合には、自機が着衣に設けられる収納部に存するという判定結果を導出しない処理を実現する。図１１は、実施形態３に係るスマートフォンの処理を説明するための図である。図１１に示す例では、利用者の手Ｈ１に含まれる指の一部がタッチスクリーンディスプレイ２に接触している。図１１に示す例では、タッチスクリーンディスプレイ２における利用者の指の接触位置が、近接／生体反応検出ユニット１７の近傍である。図１１に示す例では、コントローラ１０は、近接及び生体反応を検出した後、近接／生体反応検出ユニット１７の近傍に接触が検出されるので、自機が着衣に設けられる収納部に存するという判定結果を導出しない。
【０１２１】
図１２は、実施形態３に係るスマートフォンによる処理の流れを示すフローチャートである。図１２に示す処理は、コントローラ１０が、ストレージ９に記憶されている制御プログラム９Ａなどを実行することにより実現される。
【０１２２】
図１２に示すように、コントローラ１０は、自機がスリープ状態であるかを判定する（ステップＳ９０１）。
【０１２３】
コントローラ１０は、判定の結果、スリープ状態である場合には（ステップＳ９０１，Ｙｅｓ）、近接が検出されたかを判定する（ステップＳ９０２）。
【０１２４】
コントローラ１０は、判定の結果、近接が検出された場合には（ステップＳ９０２，Ｙｅｓ）、近接／生体反応検出ユニット１７の動作状態を生体検出モードに切り替える（ステップＳ９０３）。
【０１２５】
続いて、コントローラ１０は、生体反応が検出されたかを判定する（ステップＳ９０４）。
【０１２６】
コントローラ１０は、判定の結果、生体反応が検出された場合には（ステップＳ９０４，Ｙｅｓ）、近接／生体反応検出ユニット１７の近傍に接触が検出されているかを判定する（ステップＳ９０５）。
【０１２７】
コントローラ１０は、判定の結果、近接／生体反応検出ユニット１７の近傍に接触が検出されていない場合には（ステップＳ９０５，Ｎｏ）、自機が着衣の収納部に存するという判定結果を導出する（ステップＳ９０６）。
【０１２８】
続いて、コントローラ１０は、近接／生体反応検出ユニット１７の動作状態を近接検出モードに切り替えて（ステップＳ９０７）、図１２に示す処理を終了する。
【０１２９】
上記ステップＳ９０５において、コントローラ１０は、判定の結果、近接／生体反応検出ユニット１７の近傍に接触が検出されている場合には（ステップＳ９０５，Ｙｅｓ）、自機が着衣の収納部以外に存するという判定結果を導出し（ステップＳ９０８）、上記ステップＳ９０７の処理手順に移る。
【０１３０】
上記ステップＳ９０４において、コントローラ１０は、判定の結果、生体反応が検出されない場合には（ステップＳ９０４，Ｎｏ）、上記ステップＳ９０８の処理手順に移る。
【０１３１】
上記ステップＳ９０２において、コントローラ１０は、判定の結果、近接が検出されない場合には（ステップＳ９０２，Ｎｏ）、図１２に示す処理を終了する。
【０１３２】
上記ステップＳ９０１において、コントローラ１０は、判定の結果、スリープ状態ではない場合には（ステップＳ９０１，Ｎｏ）、図１２に示す処理を終了する。
【０１３３】
上記の実施形態３では、スマートフォン１は、近接及び生体反応を検出した後、近接／生体反応検出ユニット１７の近傍に接触が検出されている場合には、自機が着衣に設けられる収納部に存するという判定結果を導出しない。このため、実施形態３によれば、スマートフォン１は、操作時の利用者の接触位置が近接／生体反応検出ユニット１７の近傍であることを原因として、自機が収納部に存するという判定結果を誤って導出してしまう事態を回避できる。
【０１３４】
上記の実施形態では、添付の請求項に係る装置の例として、スマートフォン１について説明したが、添付の請求項に係る装置は、スマートフォン１に限定されない。添付の請求項に係る装置は、着衣の収納部に収められる電子機器であれば、スマートフォン以外の装置であってもよい。
【０１３５】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【０１３６】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  電話アプリケーション
９Ｃ  メールアプリケーション
９Ｄ  スケジュールアプリケーション
９Ｚ  設定データ
１０  コントローラ
１１  スピーカ
１２  カメラ
１３  カメラ
１４  コネクタ
１５  加速度センサ
１６  生体反応検出センサ
１７  近接／生体反応検出ユニット
【図１】
2016048908.tif 000003
【図２】
2016048908.tif 000004
【図３】
2016048908.tif 000005
【図４】
2016048908.tif 000006
【図５】
2016048908.tif 000007
【図６】
2016048908.tif 000008
【図７】
2016048908.tif 000009
【図８】
2016048908.tif 000010
【図９】
2016048908.tif 000011
【図１０】
2016048908.tif 000012
【図１１】
2016048908.tif 000013
【図１２】
2016048908.tif 000014